(57)【要約】【課題】  本発明の課題は、コネクタプラグとコネクタアダプタにそれぞれ対応して電極を設け、前記電極の検知信号を検出することで、コネクタが接続状態か非接続状態かを目視せずに識別することができるコネクタ接続検知装置を提供することにある。【解決手段】  本発明は、第１の電極１が設けられたコネクタプラグ４と、コネクタプラグ４が接続されるコネクタアダプタ５と、コネクタアダプタ５に設けられ、コネクタプラグ４とコネクタアダプタ５の接続状態で第１の電極１と電気的に接続される第２の電極２と、第１の電極１もしくは第２の電極２における検知信号を検出する信号制御検出機能部３とを具備することを特徴とするものである。【選択図】    図１
2009211839.tif 000002
【特許請求の範囲】
【請求項１】
第１の電極が設けられたコネクタプラグもしくはコネクタプラグを把持するコネクタプラグ挿抜工具と、
前記コネクタプラグが接続されるコネクタアダプタと、
前記コネクタアダプタに設けられ、前記コネクタプラグと前記コネクタアダプタの接続状態で前記第１の電極と電気的に接続される第２の電極と、
前記第１の電極もしくは前記第２の電極における検知信号を検出する信号制御検出機能部と
を具備することを特徴とするコネクタ接続検知装置。
【請求項２】
コネクタプラグとコネクタアダプタが勘合接続されたことを検知するコネクタ接続検知装置において、
コネクタプラグまたはコネクタプラグを把持するコネクタプラグ挿抜工具に第１の電極を有し、
コネクタアダプタの勘合部または前記勘合部近傍に第２の電極を有し、
前記コネクタプラグと前記コネクタアダプタの勘合接続時に前記第１の電極と前記第２の電極が近接または接触する位置に設置し、
前記第１の電極への印加信号の制御および前記第２の電極における検知信号の識別機能を有する信号制御検出機能部を有し、
前記第２の電極における信号検知により、前記コネクタプラグと前記コネクタアダプタが接続状態であるか、非接続状態かを判別することを特徴とするコネクタ接続検知装置。
【請求項３】
複数のコネクタプラグと複数のコネクタアダプタ勘合部が勘合接続されたことを検知するコネクタ接続検知装置において、
コネクタプラグに第１の電極を有し、
複数のコネクタアダプタ勘合部に対応した位置に複数の第２の電極を有し、
前記コネクタプラグが前記コネクタアダプタ勘合部に接続されるとき、前記第１の電極と前記第２の電極は近接または接触する位置に設置し、
前記第１の電極への印加信号の制御および前記複数の第２の電極の選択および検知信号の識別機能を有する信号制御検出機能部を有し、
前記複数の第２の電極における信号検知により、前記コネクタプラグと前記複数のコネクタアダプタ勘合部が接続状態であるか、非接続状態かを判別することを特徴とするコネクタ接続検知装置。
【請求項４】
複数のコネクタプラグと複数のコネクタアダプタが勘合接続されたことを検知するコネクタ接続検知装置において、
コネクタプラグを把持してコネクタプラグの挿抜を行うコネクタ挿抜工具に第１の電極を有し、
複数のコネクタアダプタ勘合部に対応した位置に複数の第２の電極を有し、
前記コネクタ挿抜工具により前記コネクタプラグが前記コネクタアダプタ勘合部に接続されるとき、前記第１の電極と前記第２の電極は近接または接触する位置に設置し、
前記第１の電極への印加信号の制御および前記複数の第２の電極の選択および検知信号の識別機能を有する信号制御検出機能部を有し、
前記複数の第２の電極における信号検知により、前記コネクタプラグと前記複数のコネクタアダプタ勘合部が接続状態であるか、非接続状態かを判別することを特徴とするコネクタ接続検知装置。
【請求項５】
複数のコネクタプラグと複数のコネクタアダプタが勘合接続されたことを検知するコネクタ接続検知装置の配線管理システムにおいて、
コネクタプラグを把持してコネクタプラグの挿抜を行うコネクタ挿抜工具に第１の電極を有し、
複数のコネクタアダプタ勘合部に対応した位置に複数の第２の電極を有し、
前記コネクタ挿抜工具により前記コネクタプラグが前記コネクタアダプタ勘合部に接続されるとき、前記第１の電極と前記第２の電極は近接または接触する位置に設置し、
前記第１の電極への印加信号の制御および前記複数の第２の電極の選択および検知信号の識別機能を有する信号制御検出機能部を有し、
前記第１の電極および前記信号制御検出機能部を制御するデータベース機能部を有し、
前記複数の第２の電極における信号検知により、前記コネクタプラグと前記コネクタアダプタ勘合部の接続情報をデータベースに保持して管理することを特徴とする配線管理システム。
【請求項６】
複数のコネクタプラグと複数のコネクタアダプタが勘合接続されたことを検知するコネクタ接続検知装置の配線管理システムにおいて、
コネクタプラグを把持してコネクタ挿抜を行うコネクタ挿抜工具に第１の電極を有し、
複数のコネクタアダプタ勘合部に対応した位置に複数の発光部及び複数の第２の電極を有し、
前記コネクタ挿抜工具により前記コネクタプラグが前記コネクタアダプタ勘合部に接続されるとき、前記第１の電極と前記第２の電極は近接または接触する位置に設置し、
前記第１の電極への印加信号の制御及び前記複数の発光部の発光制御及び前記複数の第２の電極の選択及び検知信号の識別機能を有する信号制御検出機能部を有し、
前記第１の電極および前記信号制御検出機能部を制御するデータベース機能部を有し、
コネクタプラグの挿抜時のコネクタアダプタ勘合部位置を発光部を発光させて明示し、前記複数の第２の電極における信号検知により、前記コネクタプラグと前記コネクタアダプタ勘合部の接続情報をデータベースに保持して管理することを特徴とする配線管理システム。
【発明の詳細な説明】
【技術分野】
【０００１】
本発明はコネクタプラグとコネクタアダプタが勘合接続されたことを検知するコネクタ接続検知装置に係り、コネクタプラグおよびコネクタアダプタに電極を設置し、前記電極がコネクタプラグとコネクタアダプタの接続時に接触または隣接することを電気的に検知することで、コネクタプラグとコネクタアダプタの接続関係を識別することを可能にしたコネクタ接続検知装置および配線管理システムに関するものである。
【背景技術】
【０００２】
従来の技術では、コネクタプラグにメモリ機能部を付与して、コネクタプラグの取付けられている心線のＩＤ情報をメモリに保持し、接続されるコネクタアダプタ側にメモリのＩＤ読み取り機能部を取付け、コネクタ接続時にＩＤを読み取り、配線情報を管理する方式があるが、このような方式では、複数の接続を行う接続盤においては、ＩＤ読み取り機能部を端子数設置する必要があることやコネクタプラグにメモリ機能部を取付ける必要があり、経済的なシステム構築は困難である。
【０００３】
【特許文献１】特許第３７４５７２８号公報
【発明の開示】
【発明が解決しようとする課題】
【０００４】
本発明は上記の事情に鑑みてなされたもので、コネクタプラグまたはコネクタプラグ近傍とコネクタアダプタ勘合部またはコネクタアダプタ勘合部近傍に電極を設け、前記電極の検知信号を検出することで、コネクタが接続状態か非接続状態かを目視せずに識別することができ、経済的な配線管理システムを構築することができるコネクタ接続検知装置および配線管理システムを提供することを目的とする。
【課題を解決するための手段】
【０００５】
上記目的を達成するために本発明のコネクタ接続検知装置は、第１の電極が設けられたコネクタプラグもしくはコネクタプラグを把持するコネクタプラグ挿抜工具と、前記コネクタプラグが接続されるコネクタアダプタと、前記コネクタアダプタに設けられ、前記コネクタプラグと前記コネクタアダプタの接続状態で前記第１の電極と電気的に接続される第２の電極と、前記第１の電極もしくは前記第２の電極における検知信号を検出する信号制御検出機能部とを具備することを特徴とするものである。
【０００６】
また本発明は、コネクタプラグとコネクタアダプタが勘合接続されたことを検知するコネクタ接続検知装置において、コネクタプラグまたはコネクタプラグを把持するコネクタプラグ挿抜工具に第１の電極を有し、コネクタアダプタの勘合部または前記勘合部近傍に第２の電極を有し、前記コネクタプラグと前記コネクタアダプタの勘合接続時に前記第１の電極と前記第２の電極が近接または接触する位置に設置し、前記第１の電極への印加信号の制御および前記第２の電極における検知信号の識別機能を有する信号制御検出機能部を有し、前記第２の電極における信号検知により、前記コネクタプラグと前記コネクタアダプタが接続状態であるか、非接続状態かを判別することを特徴とするものである。
【０００７】
また本発明は、複数のコネクタプラグと複数のコネクタアダプタ勘合部が勘合接続されたことを検知するコネクタ接続検知装置において、コネクタプラグに第１の電極を有し、複数のコネクタアダプタ勘合部に対応した位置に複数の第２の電極を有し、前記コネクタプラグが前記コネクタアダプタ勘合部に接続されるとき、前記第１の電極と前記第２の電極は近接または接触する位置に設置し、前記第１の電極への印加信号の制御および前記複数の第２の電極の選択および検知信号の識別機能を有する信号制御検出機能部を有し、前記複数の第２の電極における信号検知により、前記コネクタプラグと前記複数のコネクタアダプタ勘合部が接続状態であるか、非接続状態かを判別することを特徴とするものである。
【０００８】
また本発明は、複数のコネクタプラグと複数のコネクタアダプタが勘合接続されたことを検知するコネクタ接続検知装置において、コネクタプラグを把持してコネクタプラグの挿抜を行うコネクタ挿抜工具に第１の電極を有し、複数のコネクタアダプタ勘合部に対応した位置に複数の第２の電極を有し、前記コネクタ挿抜工具により前記コネクタプラグが前記コネクタアダプタ勘合部に接続されるとき、前記第１の電極と前記第２の電極は近接または接触する位置に設置し、前記第１の電極への印加信号の制御および前記複数の第２の電極の選択および検知信号の識別機能を有する信号制御検出機能部を有し、前記複数の第２の電極における信号検知により、前記コネクタプラグと前記複数のコネクタアダプタ勘合部が接続状態であるか、非接続状態かを判別することを特徴とするものである。
【０００９】
また本発明は、複数のコネクタプラグと複数のコネクタアダプタが勘合接続されたことを検知するコネクタ接続検知装置の配線管理システムにおいて、コネクタプラグを把持してコネクタプラグの挿抜を行うコネクタ挿抜工具に第１の電極を有し、複数のコネクタアダプタ勘合部に対応した位置に複数の第２の電極を有し、前記コネクタ挿抜工具により前記コネクタプラグが前記コネクタアダプタ勘合部に接続されるとき、前記第１の電極と前記第２の電極は近接または接触する位置に設置し、前記第１の電極への印加信号の制御および前記複数の第２の電極の選択および検知信号の識別機能を有する信号制御検出機能部を有し、前記第１の電極および前記信号制御検出機能部を制御するＤＢ機能部を有し、前記複数の第２の電極における信号検知により、前記コネクタプラグと前記コネクタアダプタ勘合部の接続情報をデータベースに保持して管理することを特徴とするものである。
【００１０】
また本発明は、複数のコネクタプラグと複数のコネクタアダプタが勘合接続されたことを検知するコネクタ接続検知装置の配線管理システムにおいて、コネクタプラグを把持してコネクタ挿抜を行うコネクタ挿抜工具に第１の電極を有し、複数のコネクタアダプタ勘合部に対応した位置に複数の発光部及び複数の第２の電極を有し、前記コネクタ挿抜工具により前記コネクタプラグが前記コネクタアダプタ勘合部に接続されるとき、前記第１の電極と前記第２の電極は近接または接触する位置に設置し、前記第１の電極への印加信号の制御及び前記複数の発光部の発光制御及び前記複数の第２の電極の選択及び検知信号の識別機能を有する信号制御検出機能部を有し、前記第１の電極および前記信号制御検出機能部を制御するＤＢ機能部を有し、コネクタプラグの挿抜時のコネクタアダプタ勘合部位置を発光部を発光させて明示し、前記複数の第２の電極における信号検知により、前記コネクタプラグと前記コネクタアダプタ勘合部の接続情報をデータベースに保持して管理することを特徴とするものである。
【発明の効果】
【００１１】
本発明のコネクタ接続検知装置および配線管理システムは、コネクタプラグまたはコネクタプラグ近傍とコネクタアダプタ勘合部またはコネクタアダプタ勘合部近傍に電極を設け、前記電極の検知信号を検出することで、コネクタが接続状態か非接続状態かを目視せずに識別することができ、経済的な配線管理システムを構築することができる。
【発明を実施するための最良の形態】
【００１２】
以下図面を参照して本発明の実施の形態を詳細に説明する。
図１は本発明の第１の実施形態に係るコネクタ接続検知装置を示す構成説明図である。図１において、１は第１の電極、２は第２の電極、３は信号制御検出機能部、４はコネクタプラグ、５はコネクタアダプタ、６は勘合部である。
【００１３】
図１に示すように、コネクタプラグ４はコネクタアダプタ５の勘合部６に勘合しコネクタ接続状態である。前記コネクタプラグ４には第１の電極１が設けられ、コネクタアダプタ５の勘合部６には第２の電極２が設けられている。前記第１の電極１と前記第２の電極２はコネクタプラグ４がコネクタアダプタ勘合部６に勘合したコネクタ接続時には近接または接触する位置に設置され、電気的に接続される。前記第１の電極１と前記第２の電極２には信号制御検出機能部３が接続され、前記信号制御検出機能部３は前記第１の電極１に電気的に接続された前記第２の電極２における検知信号を検出する。
【００１４】
すなわち、信号制御検出機能部３から第１の電極１には、汎用的なＤＣ５ＶやＤＣ３．３Ｖ等や０Ｖなどを印加し、第２の電極２に接触させることで、第２の電極２側で電圧の変化を検出する。電圧検知ではデジタル的にハイレベルか、ローレベルかで識別することもできる。電極は通常メッキ処理を行い接触抵抗を低減することで安定した識別ができるが、第２の電極２側のインピーダンスをあげることで、接触抵抗の増加に影響のない識別も可能であり、電極をさらに低廉化できる。第２の電極２に電圧を印加し、第１の電極１で電圧の変化を検知する方法も同様に適用可能である。
【００１５】
また、前記第１の電極１と前記第２の電極２へは交流信号を印加することも可能である。交流信号の揚合は、第１の電極１と第２の電極２は必ずしも接触する必要がなく、非接触の近接状態でも一種のコンデンサを形成し、第１の電極１から第２の電極２に通電が可能である。この通電状態を検知することで第１の電極１と第２の電極２のコネクタ接続の有無を検知することもできる。これらの交流信号を適用した場合も、第１の電極１と第２の電極２のいずれを検知信号の印加側と検知側にしてもよい。
【００１６】
図２は本発明の実施形態に係る信号制御検出機能部の具体例を示す構成説明図である。図２において、２０は電圧検知部、Ｒは抵抗、ＬＥＤは発光ダイオード、Ｔ１は第１の端子、Ｔ２は第２の端子である。
【００１７】
図２に示すように、第１の電極１には第１の端子Ｔ１が接続され、第２の電極２には発光ダイオードＬＥＤ及び抵抗Ｒを直列に介して第２の端子Ｔ２が接続される。前記第２の電極２と前記発光ダイオードＬＥＤ間のＰ点に電圧検知部２０が接続される。前記第１の端子Ｔ１は０Ｖであり、前記第２の端子Ｔ２にはＤＣ＋５Ｖが印加される。
【００１８】
すなわち、信号検知は電気的な接続により判定する。第１の電極１と第２の電極２が接触することで、Ｐ点の電位が変化するので、Ｐ点の電位を電圧検知部２０で検出する。この例ではＰ点の電位が０Ｖになるので、５Ｖから０Ｖの変化で第１の電極１と第２の電極２の接触を検知する。第１の電極１と第２の電極２に接触抵抗がある場合には、接触時にＰ点の電位が完全に０Ｖにならないが、電圧判定をデジタル的に０，１で判定できるようにスレッショルドレベルを設定することで、電位の変化幅を持たせることができる。また、抵抗Ｒを変化させることで接触抵抗の影響を調整することができる。デジタル的に検知する方法では、電圧検知部２０に汎用のデジタルＩＣを用いることで検知可能である。また、回路内に発光ダイオードＬＥＤを入れておくと第１の電極１と第２の電極２の接触時には発光ダイオードＬＥＤが点灯するので目視で判断できる。第２の電極２が複数ある接続盤の場合はスイッチで切り替えて検知する。
【００１９】
図３は本発明の第２の実施形態に係るコネクタ接続検知装置を示す構成説明図である。図３中、図１と同一部分は同一符号を付してその説明を省略する。図３において、１０は第１の勘合部、１１は第２の勘合部、１２は第ｎの勘合部、１３は第１の勘合部の第２の電極、１４は第２の勘合部の第２の電極、１５は第ｎの勘合部の第２の電極である。
【００２０】
図３に示すように、コネクタアダプタ５の勘合部１０〜１２が複数設置される接続部においては、コネクタアダプタ５側のそれぞれの勘合部１０〜１２に対応する第２の電極１３〜１５を設置する。これらの各第２の電極１３〜１５は信号制御検知機能部３に接続され、信号制御検知機能部３で選択できる。各第２の電極１３〜１５は一定の時間で自動的に切り替えることもできる。第２の電極１３〜１５と第１の電極１はコネクタ接続時に、近接または接触する位置、即ち電気的に接続できる位置に設置する。このようにすることで、コネクタプラグ４がどの勘合部１０〜１２に勘合されているかがわかる。コネクタプラグ４側の第１の電極１に印加する信号は第１の実施形態と同様にすることができる。第２の電極１３〜１５は第１の実施形態の第２の電極２の信号検知と同様にできる。
【００２１】
図４は本発明の第３の実施形態に係るコネクタ接続検知装置を示す構成説明図である。図４中、図１及び図３と同一部分は同一符号を付してその説明を省略する。図４において、７はコネクタプラグ４を把持してコネクタプラグ４の挿入、抜去を行うコネクタ挿抜工具である。
【００２２】
図４に示すように、コネクタプラグ４側の第１の電極１をコネクタ挿抜工具７に設置した場合である。コネクタプラグ４を接続する場合、通常はコネクタ挿抜工具７を使用する。コネクタ挿抜工具７の先端に第１の電極１を設置し、リード線で信号制御検出機能部３に接続する。コネクタ挿抜工具７の先端が金属でできている場合はそのまま電極として使用できる。前記金属部はリード線で信号制御検出機能部３に接続する。また、コネクタ挿抜工具７につけた電極はＤＣ５ＶやＤＣ３．３Ｖ等の汎用的な電圧を使用することもできるが、ＤＣ０Ｖのグランドレベルにし、信号制御検出機能部３のグランドレベルで共通にしておくとよい。コネクタアダプタ勘合部１０〜１２の第２の電極１３〜１５と信号制御検出機能部３の接続は第２の実施形態と同様にすることができる。
【００２３】
図５は本発明の第４の実施形態に係るコネクタ接続検知装置の配線管理システムを示す構成説明図である。図５中、図１、図３、図４と同一部分は同一符号を付してその説明を省略する。図５において、１６は接続盤、１７はＰＣ（パソコン）等のＤＢ（データベース）機能部である。
【００２４】
図５に示すように、複数のコネクタプラグ４を複数のコネクタアダプタ５に接続する接続盤１６において、コネクタ挿抜工具７に設置する第１の電極１は、コネクタ挿抜工具７の先端に金属体を取付ける方法がある。コネクタ挿抜工具７の先端部が金属体でできている場合はそのまま電極として使用することも可能である。これらの第１の電極１はＤＢ機能部１７としてのＰＣに接続して使用する。ＰＣへの接続はＵＳＢ等から電源を供給することができる。また、第１の電極１を信号制御検出機能部３に直接接続することもできる。コネクタアダプタ５側のそれぞれの勘合部１０〜１２には勘合部１０〜１２に対応する位置に第２の電極１３〜１５を取り付け、前記第２の電極１３〜１５は信号制御検出機能部３に接続する。信号制御検出機能部３と各勘合部の第２の電極１３〜１５間はマトリクススイッチで順次切り替えて信号検知を行う。たとえば、各勘合部１０〜１２に番号を付与し、その番号順に切り替えて検知動作を行うことで、コネクタ挿抜工具７を使用して接続を行っている勘合部１０〜１２の番号がわかる。接続しているコネクタプラグ４側の心線番号はコネクタ挿抜工具７に把持するときに確認できるので、どのコネクタプラグ心線番号とどのコネクタアダプタ勘合部番号が接続しているかがわかる。この接続情報をＤＢ機能部１７に保存する。このようにすることで接続盤１６の配線管理が可能となる。
【００２５】
図６は本発明の実施形態に係るＤＢ機能部のデータベースの具体例を示す説明図である。すなわち、コネクタアダプタ勘合部側の第２の電極１３〜１５が複数ある接続盤においては、第２の電極１３〜１５への印加電圧と電圧検知部はスイッチで切り替える。スイッチの配線を共通化するためにマトリクス回路にして配線数を低減する。スイッチはＰＣ端末からコントロールする。データベースの項目は端子番号（第２の電極１３〜１５の位置に対応）、第２の心線番号（第２の電極１３〜１５側のコネクタアダプタ心線番号）、第１の心線番号（第１の電極１側のコネクタプラグ心線番号）、接続状態（コネクタプラグとコネクタアダプタの接続の有無）が最低限必要になる。
【００２６】
図７は本発明の第５の実施形態に係るコネクタ接続検知装置の配線管理システムを示す構成説明図である。図７中、図１、図３〜５と同一部分は同一符号を付してその説明を省略する。図７において、９は発光部である。
【００２７】
図７に示すように、複数のコネクタアダプタ５側のそれぞれの勘合部１０〜１２に対応して発光部９を設置する。接続盤１６におけるコネクタプラグ４の接続または抜去を行う配線作業においては、通常作業対象のコネクタプラグ４の心線番号やコネクタアダプタ勘合部１０〜１２の番号が指定される。この指定されるコネクタアダプタ勘合部１０〜１２の位置の発光部９を光らせることで、作業位置を明示することができる。コネクタアダプタ勘合部１０〜１２が密集している接続盤１６においては、指定のコネクタアダプタ勘合部１０〜１２の左右の発光部９が発光していることでより正確に作業位置を特定することができる。発光部９を発光させるために信号制御検出機能部３と発光部９間はマトリクススイッチで切り替えて制御することができる。また、発光部９とコネクタアダプタ勘合部１０〜１２の第２の電極１３〜１５は同じタイミングで切り替えることも可能である。接続情報の管理方式は第４の実施形態と同様にできる。
【００２８】
図８は本発明の第６の実施形態に係るコネクタ接続検知装置の一部を示す構成説明図である。図８中、図１、図３〜５と同一部分は同一符号を付してその説明を省略する。図８において、２０は基板、２１は固定部である。
【００２９】
図８に示すように、第２の電極１３，１４，１５等を基板２０上に取付け、その基板２０をコネクタアダプタ５近傍に取付ける。１６連のコネクタアダプタ等が接続盤に用いられる場合、基板２０上に第２の電極１３，１４，１５等をコネクタアダプタ５の勘合口に対応する位置に１６組取付け、基板２０を１６連のコネクタアダプタ５に沿わせて取付ける。基板２０は固定部２１により、コネクタアダプタ５本体に沿わせて設置する。前記基板２０はコネクタアダプタ５の側面の片側または両側に取付けられる。また、前記基板２０には前記勘合部６に対応する位置に発光部９を取付けてもよい。このような基板２０を使用することで、接続盤にコネクタアダプタが設置されているすでに使用状態になっている既設設備に対しても、後から第２の電極または発光部を実装することができる。
【００３０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３１】
【図１】本発明の第１の実施形態に係るコネクタ接続検知装置を示す構成説明図である。
【図２】本発明の実施形態に係る信号制御検出機能部の具体例を示す構成説明図である。
【図３】本発明の第２の実施形態に係るコネクタ接続検知装置を示す構成説明図である。
【図４】本発明の第３の実施形態に係るコネクタ接続検知装置を示す構成説明図である。
【図５】本発明の第４の実施形態に係るコネクタ接続検知装置の配線管理システムを示す構成説明図である。
【図６】本発明の実施形態に係るＤＢ機能部のデータベースの具体例を示す説明図である。
【図７】本発明の第５の実施形態に係るコネクタ接続検知装置の配線管理システムを示す構成説明図である。
【図８】本発明の第６の実施形態に係るコネクタ接続検知装置の一部を示す構成説明図である。
【符号の説明】
【００３２】
１…第１の電極、２…第２の電極、３…信号制御検出機能部、４…コネクタプラグ、５…コネクタアダプタ、６…勘合部、７…コネクタ挿抜工具、９…発光部、１０…第１の勘合部、１１…第２の勘合部、１２…第ｎの勘合部、１３…第１の勘合部の第２の電極、１４…第２の勘合部の第２の電極、１５…第ｎの勘合部の第２の電極、１６…接続盤、１７…ＰＣ（パソコン）等のＤＢ（データベース）機能部。
【図１】
2009211839.tif 000003
【図２】
2009211839.tif 000004
【図３】
2009211839.tif 000005
【図４】
2009211839.tif 000006
【図５】
2009211839.tif 000007
【図６】
2009211839.tif 000008
【図７】
2009211839.tif 000009
【図８】
2009211839.tif 000010